(57)【特許請求の範囲】
【請求項１】
支持基板と、
前記支持基板に実装される発光素子と、
前記支持基板を貫通する貫通孔と、
前記貫通孔に挿入されて前記発光素子に電流を供給するコネクタと、
を含み、
前記支持基板は、
第１の領域、第２の領域及び前記第１の領域と前記第２の領域との間の折り曲げ部を含み、
前記貫通孔は、
前記支持基板の前記第１の領域又は前記第２の領域のうちの少なくとも一つに形成され、
前記発光素子は、前記支持基板の前記第１の領域の一面に実装され、
前記第１の領域の一面に前記発光素子と接続されるパッド配線を含むパッド部と、
前記第１の領域又は前記第２の領域に前記発光素子に電気信号を伝達するストリング配線を含むストリング部と、
前記折り曲げ部に形成される折り曲げ孔と、をさらに含み、
前記コネクタは、前記第２の領域に実装され、
前記ストリング部は、
前記第１の領域の前記一面に対向する他面にストリング配線が形成され、前記折り曲げ孔により前記パッド配線と接続される、回路基板。
【請求項２】
前記発光素子は、複数であり、
前記貫通孔は、複数の前記発光素子間の離隔部に対応する位置に形成される、請求項１に記載の回路基板。
【請求項３】
前記貫通孔は、
前記発光素子の下側面に対応する位置に形成される、請求項１又は請求項２に記載の回路基板。
【請求項４】
請求項１に記載の回路基板と、
前記回路基板の貫通孔に対応する外部貫通孔を含む外部ハウジングと、
を含む照明装置。
【請求項５】
支持基板と、
前記支持基板に実装される発光素子と、
前記支持基板を貫通して前記発光素子に電流を供給するコネクタが挿入される貫通孔と、
を含み、
前記支持基板は、
第１の領域、第２の領域及び前記第１の領域と前記第２の領域との間の折り曲げ部を含み、
前記貫通孔は、
前記支持基板の前記第１の領域又は前記第２の領域の内の少なくとも一つに形成され、
前記発光素子は、前記支持基板の前記第１の領域の一面に実装され、
前記第１の領域の一面に前記発光素子と接続されるパッド配線を含むパッド部と、
前記第１の領域又は前記第２の領域に前記発光素子に電気信号を伝達するストリング配線を含むストリング部と、
前記折り曲げ部に形成される折り曲げ孔と、をさらに含み、
前記コネクタは、前記第２の領域に実装され、
前記ストリング部は、
前記第１の領域の前記一面に対向する他面にストリング配線が形成され、前記折り曲げ孔により前記パッド配線と接続される、回路基板。
【請求項６】
前記発光素子は、複数であり、
前記貫通孔は、複数の前記発光素子間の離隔部に対応する位置に形成される、請求項５に記載の回路基板。
【請求項７】
前記貫通孔は、
前記発光素子の下側面に対応する位置に形成される、請求項５又は請求項６に記載の回路基板。
【発明の詳細な説明】
【技術分野】
【０００１】
本発明は、回路基板及び回路基板を含む照明装置に関する。
【背景技術】
【０００２】
液晶表示装置(Ｌｉｑｕｉｄ Ｃｒｙｓｔａｌ Ｄｉｓｐｌａｙ、ＬＣＤ)は、 自ら光を発する自己発光でないので、全ての液晶表示装置には照明装置が必要である。このような照明装置は、液晶表示装置の光源の役割をし、液晶モジュールの背面から光を照射するために、光源自体を含んで光源の駆動のための電源回路及び均一な平面光を形成させる一切の付属物を構成する複合体をバックライトユニット(Ｂａｃｋｌｉｇｈｔ Ｕｎｉｔ；ＢＬＵ)という。
【０００３】
さて、前記液晶表示装置は、ますます薄型化されており、そのために、前記液晶表示装置のベゼル(Ｂｅｚｅｌ)の幅を減らすことが要求されている。一例として、前記ベゼルの幅を減らすために、発光素子が実装された回路基板の構造や前記発光素子の光を導光するための導光板を含む照明装置の構造も変わってきている。
【０００４】
しかしながら、回路基板の構造が薄型化したとしても、発光素子に電流を供給するコネクタ(Ｃｏｎｎｅｃｔｏｒ)の形状には変化がないので、このようなコネクタによってベゼルの幅を減らすのには困難があった。
【０００５】
したがって、回路基板にコネクタをどのように実装するかについての方策が必要である。
【発明の概要】
【発明が解決しようとする課題】
【０００６】
本発明の一実施例は、支持基板の一領域を貫通する貫通孔を形成することにより、前記貫通孔にコネクタを挿入させて前記コネクタが占めるスペースを減らすことができる回路基板を提供する。
【０００７】
本発明の一実施例は、支持基板に発光素子間の離隔部に対応する位置に貫通孔を形成して前記発光素子が実装される領域にコネクタを実装することにより、前記支持基板の幅を減らすことができる回路基板を提供する。
【０００８】
本発明の一実施例は、第１の領域及び前記第１の領域から折り曲げられて(ｂｅｎｄｅｄ)延長される第２の領域を含む支持基板の前記第１の領域又は前記第２の領域のうち少なくとも一つに貫通孔を形成することにより、前記貫通孔にコネクタを挿入させて前記コネクタが占める幅分の回路基板の幅を減らすことができる回路基板を提供する。
【０００９】
本発明の一実施例は、回路基板の貫通孔に対応して外部ハウジングに外部貫通孔を形成することにより、前記回路基板の貫通孔と前記外部ハウジングの外部貫通孔にコネクタが挿入され、前記コネクタが挿入される幅を減らすことで、表示装置に適用したときに前記表示装置のベゼルの幅を減らすことができる照明装置を提供する。
【課題を解決するための手段】
【００１０】
本発明の一実施例に係る回路基板は、支持基板、前記支持基板に実装される発光素子、前記支持基板を貫通する貫通孔、及び前記貫通孔に挿入されて前記発光素子に電流を供給するコネクタを含む。
【００１１】
前記発光素子は、複数であり、前記貫通孔は、複数の前記発光素子間の離隔部に対応する位置に形成することができる。
【００１２】
前記貫通孔は、前記発光素子の下側面に対応する位置に形成することができる。
【００１３】
前記支持基板は、第１の領域及び前記第１の領域から折り曲げられて延長される第２の領域を含み、前記貫通孔は、前記支持基板の前記第１の領域又は前記第２の領域のうち少なくとも一つに形成することができる。
【００１４】
前記発光素子は、前記支持基板の前記第１の領域の一面に実装され、前記回路基板は、前記第１の領域の一面に前記発光素子と接続されるパッド配線を含むパッド部、及び前記第１の領域又は前記第２の領域に前記発光素子に電気信号を伝達するストリング配線を含むストリング部をさらに含むことができる。
【００１５】
前記回路基板は、前記第１の領域と前記第２の領域との間の折り曲げ部に形成される折り曲げ孔をさらに含むことができる。
【００１６】
前記コネクタは、前記第２の領域に実装され、前記ストリング部は、前記第１の領域の前記一面に対向する他面にストリング配線が形成され、前記折り曲げ孔により前記パッド配線と接続することができる。
【００１７】
本発明の一実施例に係る照明装置は、前記の回路基板と、前記回路基板の貫通孔に対応する外部貫通孔を含む外部ハウジングとを含む。
【００１８】
一方、本発明の他の実施例に係る回路基板は、支持基板、前記支持基板に実装される発光素子、及び前記支持基板を貫通して前記発光素子に電流を供給するコネクタが挿入される貫通孔を含む。
【発明の効果】
【００１９】
本発明の一実施例によると、支持基板の一領域を貫通する貫通孔を形成することにより、前記貫通孔にコネクタを挿入させて前記コネクタが占めるスペースを減らすことができる。
【００２０】
本発明の一実施例によると、支持基板に発光素子間の離隔部に対応する位置に貫通孔を形成して前記発光素子が実装される領域にコネクタを実装することにより、前記支持基板の幅を減らすことができる。
【００２１】
本発明の一実施例によると、第１の領域及び前記第１の領域から折り曲げられて延長される第２の領域を含む支持基板の前記第１の領域又は前記第２の領域のうち少なくとも一つに貫通孔を形成することにより、前記貫通孔にコネクタを挿入させて前記コネクタが占める幅分の回路基板の幅を減らすことができる。
【００２２】
本発明の一実施例によると、回路基板の貫通孔に対応して外部ハウジングに外部貫通孔を形成することにより、前記回路基板の貫通孔と前記外部ハウジングの外部貫通孔にコネクタが挿入され、前記コネクタが挿入される幅を減らすことで、表示装置に適用したときに前記表示装置のベゼルの幅を減らす照明装置を提供することができる。
【図面の簡単な説明】
【００２３】
【図１】本発明の一実施例に係る回路基板を示す図である。
【図２】図１における回路基板の断面を示す図である。
【図３】本発明の他の実施例に係る回路基板を示す図である。
【図４】図３における回路基板の断面を示す図である。
【図５】本発明の又他の実施例に係る回路基板の断面を示す図である。
【図６】本発明の一実施例に係る照明装置を示す図である。
【図７】図６における照明装置の断面を示す図である。
【発明を実施するための形態】
【００２４】
以下、添付の図面を参照して本発明の実施例による構成及び作用について詳細に説明する。但し、本発明はこれらの実施例により限定されるものではない。本明細書に亘って同じ構成要素に対しては同じ符号を付し、これについての重複説明は省略する。
【００２５】
図１は、本発明の一実施例に係る回路基板を示す図である。
【００２６】
図１を参照すると、回路基板１１０、１２０は、支持基板１０、支持基板１０に実装される発光素子２０、支持基板１０を貫通する貫通孔３０、及び貫通孔３０に挿入されて発光素子２０に電流を供給するコネクタ４０を含む。
【００２７】
回路基板は、実施例によりバー(Ｂａｒ)形状に形成されるか、又は、第１の領域Ａと第２の領域Ｂに分けられる折り曲げられた形状に形成することができる。図１ではバー形状の回路基板を例に挙げて説明する。
【００２８】
実施例として、回路基板１１０は、発光素子２０間の離隔部に対応する位置に貫通孔３０が形成され、この貫通孔３０にコネクタ４０が挿入される構造を有する。
【００２９】
他の実施例として、回路基板１２０は、発光素子２０の下側面に対応する位置に貫通孔３０が形成され、この貫通孔３０にコネクタ４０が挿入される構造を有する。
【００３０】
このとき、回路基板１１０、１２０は、発光素子２０とコネクタ４０を接続させる配線が必要である。即ち、回路基板１１０は、発光素子２０と接続されるパッド配線１０ａを含むパッド部、及びパッド配線１０ａと接続されて発光素子２０に電気信号を伝達するストリング配線１０ｂを含むストリング部をさらに含むことができる。
【００３１】
したがって、本実施例に係る回路基板は、支持基板の貫通孔にコネクタを挿入させて前記コネクタが占めるスペースを減らすことにより、表示装置に前記回路基板が実装されたときに前記コネクタが占める幅分、前記表示装置のベゼルの幅を減らすことができる。
【００３２】
図２は、図１における回路基板の断面を示す図である。
【００３３】
図２を参照すると、回路基板２１０は、発光素子２０間の離隔部に対応する位置に貫通孔３０が形成され、この貫通孔３０にコネクタ４０が挿入される構造を有する。又は、回路基板２２０は、発光素子２０の下側面に対応する位置に貫通孔３０が形成され、この貫通孔３０にコネクタ４０が挿入される構造を有する。
【００３４】
すなわち、本実施例に係る回路基板は、コネクタ４０の厚さから支持基板１０が占める厚さ分を減らすことができる。
【００３５】
図３は、本発明の他の実施例に係る回路基板を示す図である。
【００３６】
図３を参照すると、回路基板３１０、３２０は、第１の領域Ａ及び第１の領域Ａから折り曲げられて延長される第２の領域Ｂを含む支持基板１０、支持基板１０に実装される発光素子２０、支持基板１０を貫通する貫通孔３０、及び貫通孔３０に挿入されて発光素子２０に電流を供給するコネクタ４０を含む。図３では、折り曲げ型構造の回路基板を例に挙げて説明する。
【００３７】
発光素子２０は、第１の領域Ａの一面に実装することができる。又、貫通孔３０は、支持基板１０の第１の領域Ａ又は第２の領域Ｂに形成することができる。
【００３８】
実施例として、回路基板３１０は、第１の領域Ａの一面に発光素子２０が実装され、第２の領域Ｂに貫通孔３０が形成され、この貫通孔３０にコネクタ４０が挿入される構造を有する。又、回路基板３１０は、第１の領域Ａの一面に発光素子２０と接続されるパッド配線１０ａを含むパッド部、及び第２の領域Ｂにパッド配線１０ａと接続されて発光素子２０に電気信号を伝達するストリング配線１０ｂを含むストリング部をさらに含むことができる。図には、ストリング部が第２の領域Ｂに形成されたものを示しているが、前記ストリング部は、第１の領域Ａの前記一面に対向する他面に形成することもできる。
【００３９】
他の実施例として、回路基板３２０は、第１の領域Ａの一面に発光素子２０が実装され、第１の領域Ａの発光素子２０間の離隔部に貫通孔３０が形成され、この貫通孔３０にコネクタ４０が挿入される構造を有する。又、回路基板３２０は、第１の領域Ａの一面に発光素子２０と接続されるパッド配線１０ａを含むパッド部、及び第２の領域Ｂにパッド配線１０ａと接続されて発光素子２０に電気信号を伝達するストリング配線１０ｂを含むストリング部をさらに含むことができる。図には、ストリング部が第２の領域Ｂに形成されたものを示しているが、前記ストリング部は、第１の領域Ａの前記一面に対向する他面に形成することもできる。
【００４０】
又、図示してはいないが、回路基板３１０、３２０は、第１の領域Ａと第２の領域Ｂとの間の折り曲げ部に形成される折り曲げ孔をさらに含むことができる。
【００４１】
図４は、図３における回路基板の断面を示す図である。
【００４２】
図４を参照すると、回路基板４１０は、第１の領域Ａの一面に発光素子２０が実装され、第２の領域Ｂに貫通孔３０が形成され、この貫通孔３０にコネクタ４０が挿入される構造を有することができる。又は、回路基板４２０は、第１の領域Ａの一面に発光素子２０が実装され、第１の領域Ａの発光素子２０との間の離隔部に貫通孔３０が形成され、この貫通孔３０にコネクタ４０が挿入される構造を有することができる。
【００４３】
したがって、本発明の一実施例によると、第１の領域及び前記第１の領域から折り曲げられて延長される第２の領域を含む支持基板の前記第１の領域又は前記第２の領域のうち少なくとも一つに貫通孔を形成することにより、前記貫通孔にコネクタを挿入させて前記コネクタが占める幅分の回路基板の幅を減らすことができる。
【００４４】
図５は、本発明の又他の実施例に係る回路基板の断面を示す図である。
【００４５】
図５を参照すると、回路基板５１０は、第１の領域Ａの一面に発光素子２０が実装され、第２の領域Ｂに貫通孔３０が形成され、この貫通孔３０にコネクタ４０が挿入される構造を有し、第１の領域Ａと第２の領域Ｂとの間の折り曲げ部に折り曲げ孔５０を形成することができる。
【００４６】
又は、回路基板５２０は、第１の領域Ａの一面に発光素子２０が実装され、第１の領域Ａの一面に発光素子２０と接続されるパッド配線１０ａを含むパッド部、第１の領域Ａの一面にパッド配線１０ａと接続されて発光素子２０に電気信号を伝達するストリング配線１０ｂを含むストリング部、第２の領域Ｂに貫通孔３０が形成され、この貫通孔３０にコネクタ４０が挿入される構造を有することができる。
【００４７】
又は、回路基板５３０は、第１の領域Ａの一面に発光素子２０が実装され、第２の領域Ｂに貫通孔３０が形成され、この貫通孔３０にコネクタ４０が挿入され、第１の領域Ａと第２の領域Ｂとの間の折り曲げ部に折り曲げ孔５０が形成され、第１の領域Ａの一面に発光素子２０と接続されるパッド配線１０ａが形成され、第１の領域Ａの前記一面に対向する他面に発光素子２０に電気信号を伝達するストリング配線１０ｂを形成することができる。このとき、第１の領域Ａにおいて、前記一面と他面が当接する上側部分によりパッド配線１０ａとストリング配線１０ｂを接続することができる。又、ストリング配線１０ｂは、折り曲げ孔５０によりコネクタ４０と接続することができる。
【００４８】
回路基板５４０は、第１の領域Ａの一面に発光素子２０が実装され、第２の領域Ｂに貫通孔３０が形成され、この貫通孔３０にコネクタ４０が挿入され、第１の領域Ａの一面に発光素子２０と接続されるパッド配線１０ａが形成され、第２の領域Ｂにパッド配線１０ａと接続されて発光素子２０に電気信号を伝達するストリング配線１０ｂを形成することができる。
【００４９】
図６は、本発明の一実施例に係る照明装置を示す図である。
【００５０】
図６を参照すると、照明装置６１０、６２０は、第１の領域Ａ及び第１の領域Ａから折り曲げられて延長される第２の領域Ｂを含む支持基板１０、支持基板１０の第１の領域Ａの一面に実装される発光素子２０、及び支持基板１０が貫通され、発光素子２０に電流を供給するコネクタ４０が挿入される貫通孔３０を含む回路基板と前記回路基板の貫通孔３０に対応する外部貫通孔を含む外部ハウジング６０を含む。
【００５１】
照明装置６１０は、第１の領域Ａの一面に発光素子２０が実装され、第２の領域Ｂに貫通孔３０が形成され、貫通孔３０に対応する位置の外部ハウジング６０に外部貫通孔が形成される構造を有する。外部ハウジング６０は、表示装置に回路基板が実装されたときに回路基板を支持する支持台の役割をするものである。コネクタ４０の厚さは、支持基板１０の厚さよりも厚いため、表示装置に実装されるとき、共に実装される外部ハウジング６０にも外部貫通孔を形成することにより、支持基板１０の厚さと外部ハウジング６０の厚さだけコネクタ４０が実装される厚さを減らすことができる効果がある。
【００５２】
又は、照明装置６２０は、第１の領域Ａの一面に発光素子２０が実装され、第１の領域Ａの発光素子２０間の離隔部に貫通孔３０が形成され、貫通孔３０に対応する位置の外部ハウジング６０に外部貫通孔が形成される構造を有する。
【００５３】
したがって、本発明の照明装置を表示装置に適用する場合、支持基板と外部ハウジングの厚さだけコネクタが占めるスペースを減らすことができ、結果的に前記表示装置のベゼルの幅を減らす効果がある。
【００５４】
図７は、図６における照明装置の断面を示す図である。
【００５５】
図７を参照すると、照明装置７１０は、第１の領域Ａの一面に発光素子２０が実装され、第２の領域Ｂに貫通孔３０が形成され、この貫通孔３０にコネクタ４０が挿入される回路基板と、貫通孔３０に対応する位置に外部貫通孔が形成される外部ハウジング６０を含み、第１の領域Ａと第２の領域Ｂとの間の折り曲げ部に折り曲げ孔５０を形成することができる。前記回路基板は、第１の領域Ａの一面に発光素子２０と接続されるパッド配線１０ａを含むパッド部、及び第２の領域Ｂにパッド配線１０ａと接続されて発光素子２０に電気信号を伝達するストリング配線１０ｂを含むストリング部をさらに含むことができる。
【００５６】
又は、照明装置７２０は、第１の領域Ａの一面に発光素子２０が実装され、第２の領域Ｂに貫通孔３０が形成され、この貫通孔３０にコネクタ４０が挿入される回路基板と、貫通孔３０に対応する位置に外部貫通孔が形成される外部ハウジング６０を含み、第１の領域Ａと第２の領域Ｂとの間の折り曲げ部に折り曲げ孔５０が形成され、第１の領域Ａの一面に発光素子２０と接続されるパッド配線１０ａが形成され、第１の領域Ａの前記一面に対向する他面に発光素子２０に電気信号を伝達するストリング配線１０ｂを形成することができる。このとき、第１の領域Ａにおいて、前記一面と他面が当接する上側部分によりパッド配線１０ａとストリング配線１０ｂを接続することができる。又、ストリング配線１０ｂは、折り曲げ孔５０によりコネクタ４０と接続することができる。
【符号の説明】
【００５７】
１０    支持基板
１０ａ    パッド配線
１０ｂ    ストリング配線
２０    発光素子
３０    貫通孔
４０    コネクタ
５０    折り曲げ孔
６０    外部ハウジング
１１０、１２０，３１０、３２０，４１０，４２０，５１０，５２０    回路基板
６１０，６２０，７１０，７２０    照明装置
【図１】
0006006262.tif 000002
【図２】
0006006262.tif 000003
【図３】
0006006262.tif 000004
【図４】
0006006262.tif 000005
【図５】
0006006262.tif 000006
【図６】
0006006262.tif 000007
【図７】
0006006262.tif 000008